(57)【要約】【課題】金属製障子の框材を断熱性を有する窓枠で覆い、該窓枠に網戸となる網体を一体的に取り付けることによって金属製障子に対する断熱の確保と内観視における意匠性を図る。【解決手段】窓枠２の内側に金属製障子３を建て込んで構成されるサッシにおいて、上記窓枠２の屋内側は、閉鎖時の障子３の框材３ａ、３ｂ、３ｃの屋内側見付面を覆うように形成してなるとともに、当該部位は合成樹脂製で、当該部位の互いに対向する面には取付溝４１を形成し、防虫用網体３０の両端を上記取付溝４１に納めて固定したことを特徴とする。【選択図】図２
2008025340.tif 000002
【特許請求の範囲】
【請求項１】
窓枠の内側に金属製障子を建て込んで構成されるサッシにおいて、窓枠の屋内側は、閉鎖時の障子の框材の屋内側見付面を覆うように形成してなるとともに、当該部位は合成樹脂製で、当該部位の互いに対向する面には取付溝を形成し、防虫用網体の両端を上記取付溝に納めて固定したことを特徴とするサッシ。
【請求項２】
上記網体の側縁部には合成樹脂製のアタッチメントを取り付け、該アタッチメントを上記取付溝に納めて固定したことを特徴とする、請求項１に記載のサッシ。
【発明の詳細な説明】
【技術分野】
【０００１】
本発明は、金属製障子の框材を断熱性を有する窓枠で覆うとともに、防虫用の網体を窓枠と一体的に取り付けることによって、金属製障子に対する断熱の確保と内観視における意匠性を図るサッシに関する。
【背景技術】
【０００２】
一般に、網戸は防虫網を框材組みしてなるもので、サッシに取り付ける場合は、障子の屋外側に設けられた網戸レールに障子と独立に摺動可能に取り付けたものが多い。
【０００３】
したがって、網戸は障子のように框材組みし、窓枠に専用のレールを設け、障子と同じように開け閉めするように構成されているものが多い。
【特許文献１】特開２００１−１３２３４０
【発明の開示】
【発明が解決しようとする課題】
【０００４】
しかしながら、最近は、障子の框材の屋内側の見付け面を窓枠の樹脂枠部で覆って障子の断熱を図る、隠し框材タイプのサッシが提案実施されている。このようなサッシでは、障子の框材が窓枠で隠れるが、断熱性の点から、障子と窓枠との間には屋内外方向にあまり間隔を取ることは許されない。
【０００５】
このため、樹脂枠部の内側（開口部の中心側）に網戸を取り付けざるを得ないが、上述のように障子の框材の見付け面を窓枠で覆う構成では、窓枠の樹脂枠部の内側に構成された開口部は障子の框材の内側の開口部と同じになるから、従来の開口部よりもやや小さくなりがちである。したがって、樹脂枠部の内側にさらに網戸の框材を配置することになると、開口部がさらに狭く小さくなってしまうという問題がある。
【０００６】
また、網戸の四周を框材組みする構成は、かなり以前から行なわれてきており、窓枠や障子がデザイン的に洗練されたものになってきているのに比較し、網戸だけが変わらないので、その外形が飽きられてきている。
【０００７】
本発明は上記問題点を解消し、金属製障子の框材を断熱性を有する窓枠で覆い、該窓枠に網戸となる網体を一体的に取り付けることによって金属製障子に対する断熱の確保と内観視における意匠性を図ることができるサッシを提供することをその課題とする。
【課題を解決するための手段】
【０００８】
前記課題を解決するため、請求項１に係る発明は、窓枠の内側に金属製障子を建て込んで構成されるサッシにおいて、窓枠の屋内側は、閉鎖時の障子の框材の屋内側見付面を覆うように形成してなるとともに、当該部位は合成樹脂製で、当該部位の互いに対向する面には取付溝を形成し、防虫用網体の両端を上記取付溝に納めて固定したことを特徴とする。
【０００９】
請求項２に係る発明は、請求項１において、上記網体の側縁部には合成樹脂製のアタッチメントを取り付け、該アタッチメントを上記取付溝に納めて固定したことを特徴とする。
【発明の効果】
【００１０】
請求項１に係る発明によれば、窓枠の屋内側は、閉鎖時の障子の框材の屋内側見付面を覆障子の金属製の框材の屋内側の合成樹脂製部分が障子の框材の見付け面を覆い、しかも網体は上記合成樹脂製部分の取付溝に一体的に取り付けられるから、上記框材と窓枠との間の隙間を小さくすることができ、金属製障子からの熱伝導を合成樹脂製部分によって効果的に断熱することができる。
【００１１】
さらに、網体の縁部を窓枠に形成した取付溝内に納める構造としたので、外から目立たないようにすることができ、網体が内観視における意匠性を損なうことがない。
【００１２】
請求項２に係る発明によれば、上記網体を取付溝に納めるときは、合成樹脂製のアタッチメントを納めればよいので、取付作業を容易に行うことができる。
【発明を実施するための最良の形態】
【００１３】
本発明の実施形態を図１及び図２の断熱サッシについて説明する。上記サッシは壁躯体１の開口部ａに嵌め込まれた窓枠２と、この窓枠２の屋外側に水平方向に突出して開閉可能に配置された障子３とから構成された平行窓で、公知のリンク機構によって障子３が屋外側に平行に開き移動するように構成されている。
【００１４】
壁躯体１は建物の躯体構造材の屋外側に配置された屋外壁１ａと室内側に配置された室内壁１ｂとからなり、屋外壁１ａはＡＬＣ（軽量発泡コンクリート）材によって、また、室内壁１ｂは屋外壁１ａの屋内側に張設された断熱材４とその屋内側に張設された内装材５と壁躯体１に形成された開口部に臨む額縁６とによって構成されている。
【００１５】
障子３は、金属製の框材、つまり上框材３ａと下框材３ｂと左右の縦框材３ｃとを框材組みすることによって構成されている。框材の内側にはペアガラス７が嵌め込まれている。
【００１６】
窓枠２は、屋外側の金属製の金属枠部２ａと屋内側の合成樹脂製の樹脂枠部２ｂとを一体に結合した構成である。金属枠部２ａは枠材（金属上枠８、金属下枠９および金属縦枠１０）を方形に枠組みしたものである。また、上記金属枠部２ａは壁開口部ａを構成する屋外壁１ａなどの躯体構造材へ取付けることにより、その内周面と屋内側面は屋内側に露出する。そこで、断熱性を確保するため、この内周面には合成樹脂製の樹脂枠部２ｂが結合されている。
【００１７】
すなわち、金属枠部２ａの屋内側には内周面に沿って連続する凹部１３が形成され、凹部１３には係止部１４が形成されている。これに対し、樹脂枠部２ｂは合成樹脂製樹脂枠部材（樹脂上枠１５、樹脂下枠１６及び樹脂縦枠１７）を方形に枠組みしたもので、各樹脂枠部材には中空部が形成され、断熱性を有効に確保している。そして、各樹脂枠部材１５、１６、１７の外方部分は窓枠２の凹部１３に嵌合されているとともに、上記外方部分に形成した係止片１８が窓枠２の凹部１３の係止部１４に係止されている。
【００１８】
そして、樹脂枠部２ｂの屋外側は、障子３の閉鎖時には障子３の框材の屋内側見付面を覆うように配置されている。また、障子３の開口部（ペアガラス７の面）と樹脂枠部２ｂの内周に形成された開口部とはほぼ屋内外方向に略面一になるように配置されている。
【００１９】
なお、樹脂下枠１６は外方の下部下枠１６ａと上部下枠１６ｂとからなり、上部下枠１６ｂの係止突部１１を下部下枠１６ａの係止凹部１２に係止させることにより、一体に結合するように形成されている。したがって、上部下枠１６ｂはオペレータ本体２０を取り付けた後に下部下枠１６ａに対して後付けすることができる。
【００２０】
次に、樹脂枠部２ｂの屋内側には取付縁２４が突出形成され、室内壁１ｂの一部で躯体開口部ａを規定する木製額縁６に固定されている。
【００２１】
また、上記樹脂枠部２ｂ（樹脂下枠１６の下部下枠ａ）の内周に形成された開口部と額縁６によって形成された開口部とは躯体開口部ａとほぼ屋内外方向に略面一になるように配置されている。
【００２２】
次に、上記障子３と窓枠２とはリンク機構を介して連結され、屋内側に設けられたオペレータ本体２０のハンドルを回転操作することにより障子３を屋外側に平行に移動して開き又は閉じ作動するようになっている。
【００２３】
上記構成によれば、樹脂枠部２ｂによって障子３の框材３ａ、３ｂ、３ｃの屋内側見付面を覆ったので、内観視において、障子３の框材３ａ、３ｂ、３ｃが窓枠に隠れるため内観がよい。
【００２４】
次に、Ａは網戸を示す。網戸Ａは樹脂縦枠１７の取付溝４１に取り付けられている。そして、網戸Ａは、図３（ａ）に示されるように、網体３０とその両端に設けられたアタッチメント３１とから構成されている。網体３０は合成樹脂製で、その両端縁には膨突部３２が形成されている。網体３０の両端縁を膨突させるには、網体３０の側縁部に、膨突部３２を有する合成樹脂製の帯板材（図示せず）を溶着すればよい。これにより、網体３０の側縁部３３は帯状に形成され、端部には膨突部３２が形成される。ただし、上記側縁部３３は網目がみだれがちで通風性もあまりない。網体３０の上下の寸法は、壁躯体の開口部ａに設けられた樹脂上枠１５と樹脂下枠１６との間の寸法よりも少し大きくなるように形成されている。なお、網戸Ａの上下寸法に対応し、樹脂上枠１５と樹脂下枠１６の屋外側の面には、その長手方向に沿って網体３０の上下端を受ける突条３４（図１参照）が形成されている。
【００２５】
アタッチメント３１は合成樹脂から構成され、上記網体３０の側縁部３３を飲み込む飲込み部３５と、上記側縁部３３の端部に形成された膨突部３２に係止する係止溝３６と、上記取付溝４１に嵌合する嵌合部３７とから構成されている。
【００２６】
飲込み部３５は、網体３０の両側縁部を飲み込んで隠すもので、２つの飲込み縁３５ａ、３５ｂから構成されている。第１の飲込み縁３５ａは断面がコ字形に形成され、相対する面には滑り止めの溝３８が形成されている。第２の飲込み縁３５ｂは真直板状に形成されている。このように、網目が乱れがちの網体３０の側縁部は、アタッチメント３１の飲込み部３５に飲み込まれて外部から見えなくなるので、網戸Ａの全体の体裁がよい。
【００２７】
嵌合部３７は断面がＣ字形で、上記樹脂枠部２ｂの後述の取付溝４１に嵌合する大きさに形成されている。嵌合部３７の外側の面は上記飲込み部３５の外側面と面一になるように形成されている。上記係止溝３６は上記飲込み部３５に臨み、その溝幅は上記網本体の膨突部３２よりも狭くなっている。また、上記嵌合部３７の上記第１の飲込み縁３５ａと同じ側面には、係止突条４０が形成されている。
【００２８】
上記網体３０の膨突部３２の一端を上記アタッチメント３１の係止溝３６の一端部からスライドさせることにより、網体３０をアタッチメント３１に一体的に取り付け、網戸Ａを構成することができる。上記膨突部３２を逆方向に抜き出せば網体３０をアタッチメント３１から取り外すことができる。
【００２９】
次に、網戸Ａを窓枠２に取り付けるときは、図４（ａ）に示されるように、網戸Ａの両端をアタッチメント３１を介して上記取付溝４１に嵌合して固定する。
【００３０】
そのため、窓枠２の樹脂枠部２ｂの互いに対向する樹脂縦枠１７の対向面には取付溝４１が形成されている。取付溝４１の開口部側の内側開口縁４２は反対側の外側開口縁４３よりも短く形成されている。また、内側開口縁４２の先端内側には係止突部４４が形成されている。
【００３１】
網戸Ａは窓枠の樹脂枠部２ｂの樹脂縦枠１７に屋内側から取り付ける。まず、アタッチメント３１を図３（ｂ）のように折り曲げ、図４（ａ）のように、一方のアタッチメント３１の嵌合部３７を、第１の飲込み縁３５ａの屋内側の内面に手を入れ、樹脂枠部２ｂの取付溝４１の屋外側から手前に押し込んで同図（ｂ）のように嵌め込む。十分に嵌めこむと、嵌合部３７の係止突条４０が取付溝４１の係止突部４４を越えて係止し、取り付けが完了する。
【００３２】
なお、上記網体３０の上下端は樹脂上枠１５と樹脂下枠１６の屋外側の面に形成された突条３４に係合して隙間ができないようになっている。
【００３３】
ところで、経年変化により網体３０の張力が小さくなってその表面に緩みができたり、穴があいたりしたときは、網戸Ａを交換すればよい。この場合、網戸Ａを取り外すときは、同図（ｃ）のように、第１の飲込み縁３５ａの屋外側の内面に指やドライバ等で押し出して嵌合部３７を取付溝４１から引き抜けばよい。
【００３４】
このように、第１の飲込み縁３５ａは断面がコ字形に形成されているから、網戸Ａの取り付けや取り外しの際に指などを入れて作業することができ、便利である。
【００３５】
上述のように、窓枠２の屋内側の合成樹脂製の樹脂枠部２ｂは、閉鎖時の障子３の框材の屋内側見付面を覆い、しかも網体３０は上記樹脂枠部２ｂの取付溝４１に一体的に取り付けられるから、上記框材３ａ、３ｂ、３ｃと窓枠２との間の隙間を小さくすることができ、金属製障子３からの熱伝導を合成樹脂製の樹脂枠部２ｂによって効果的に断熱することができる。
【００３６】
さらに、網体３０の縁部を窓枠に形成した取付溝４１内に納める構造としたので、外から目立たないようにすることができるから、網戸３０が内観視における意匠性を損なうことがない。
【００３７】
次に、樹脂枠部２ｂの取付溝４１は上述の実施形態に限定されない。例えば、図５（ａ）は上記取付溝４１をあり溝として内方に開口した形態である。この場合は、アタッチメント３１を、けんどん式に上記取付溝４１に入れ込み可能に形成すればよい。すなわち、上記嵌合部３７を、飲込み部３５を構成する第２の飲込み縁３５ｂと、この第２の飲込み縁３５ｂから延長形成された延長縁４５とによって形成し、同図（ａ）のように上記取付溝４１の屋外側にアタッチメント３１の第２の飲込み縁３５ｂを入れ込んだ後に、同図（ｂ）のように取付溝４１の屋内側に延長縁４５を嵌入することによって取り付けることができる。
【００３８】
なお、取付溝４１の溝幅は上記嵌合部３７の肉厚よりも大きく形成し、取付溝４１の屋内側の内面には突片４６を形成し、上記延長縁４５が隙間なく取付溝４１に嵌入するようにする。また、嵌入後に嵌合部３７が簡単に抜けないように延長縁４５には上記突片４６に係止可能な係止突片４７が形成されている。
【００３９】
この場合、網戸Ａを交換するときは、図５（ｃ）に示されるように、アタッチメント３１を屋外側に押し出して延長縁４５を取付溝４１から引き出した後、外側縁を取り外せばよい。
【図面の簡単な説明】
【００４０】
【図１】本発明に係るサッシに対する網戸の取付状態を示す縦断面図である。
【図２】上記サッシの横断面図である。
【図３】（ａ）（ｂ）は網戸の斜視図である。
【図４】（ａ）（ｂ）（ｃ）は網戸の取付態様説明図である。
【図５】（ａ）（ｂ）（ｃ）は網戸の別の実施形態の取付態様説明図である。
【符号の説明】
【００４１】
２ａ  金属枠部
２ｂ  樹脂枠部
３    障子
３０  網体
３１  アタッチメント
４１  取付溝
【図１】
2008025340.tif 000003
【図２】
2008025340.tif 000004
【図３】
2008025340.tif 000005
【図４】
2008025340.tif 000006
【図５】
2008025340.tif 000007